(57)【特許請求の範囲】
【請求項１】
移動体を往復運動可能に保持する移動軸と、前記移動軸の両端を固定する一対の軸受け部とを備える軸固定装置であって、
前記軸受け部の少なくとも一方は、前記移動軸の一端が嵌合する穴と、前記穴の径方向に設けられた切欠き部を有し、
前記移動軸の少なくとも一方の端は、長径が前記穴の内径よりも大きく、短径が前記切欠き部の幅よりも小さいことを特徴とする軸固定装置。
【請求項２】
前記穴の内周に前記移動軸の回転を規制する突起が設けられていることを特徴とする請求項１記載の軸固定装置。
【請求項３】
請求項１または２のいずれか一項に記載の軸固定装置と、原稿を照射する光源と、
前記原稿からの光を電気信号に変換する光センサと前記移動軸が貫通する貫通穴とを有し、原稿面に対して平行に往復運動可能なキャリッジと、を備えることを特徴とする画像読み取り装置。
【発明の詳細な説明】
【０００１】
【発明の属する技術分野】
本発明は、移動体を往復運動可能に保持する移動軸固定装置に関するものであり、特にキャリッジ移動型画像読み取り装置に設けられるキャリッジ移動軸の固定装置に関するものである。
【０００２】
【従来の技術】
フラットベッド型の画像読み取り装置は、箱型の筐体の上面に、ガラス等の透明板からなる原稿台が設けられている。筐体の内部には、駆動装置により原稿台に平行に移動するキャリッジが設けられている。このキャリッジには、光源と多数の光電変換素子を並べたラインセンサとが搭載されている。
【０００３】
原稿の画像を読み取るときは、原稿台に置かれた原稿に光源から光を照射し、原稿からの光を集光レンズによりラインセンサに集光し、キャリッジを移動させつつ検出して原稿の濃淡を電気信号に変換していた。
【０００４】
キャリッジを筐体内で往復運動可能な状態で保持するためには、キャリッジに設けられた貫通穴に移動軸を貫通させ、移動軸の両端を筐体の内部で軸受け部に固定した画像読み取り装置が知られている。従来は、移動軸の両端にねじ部を設け、軸受けの穴に通した後に両端のネジ部を軸受けの外側からナットで止め固定していた。
【０００５】
【発明が解決しようとする課題】
ところが、上記のように移動軸をねじの締め付けにより固定するとナット等の部品の点数が増加することや、取り付け部のゆるみが生じる等の問題があった。また、移動軸を取り付ける軸受け周辺は、十分な空間が設けられていない場合が多く取り付け作業が容易ではなかった。
【０００６】
本発明の目的は、簡単な構造で筐体に移動軸を固定することができる移動軸の固定装置を提供することにある。
【０００７】
【課題を解決するための手段】
本発明の請求項１に記載の軸固定装置によると、移動体を往復運動可能な状態で保持するための移動軸と、移動軸を固定するための一対の軸受け部とを備えている。軸受け部の少なくとも一方には、移動軸の一端が嵌合するための穴が設けられており、この穴の径方向には切欠き部を有している。また、移動軸の少なくとも一方の端は、長径が前記穴の内径よりも大きく、短径が切欠き部の幅よりも小さくなっているため、移動軸は軸受けに設けられた切欠き部から穴の中へ挿入することができ、この後穴内部で移動軸を回転させることで穴の内径よりも大きな移動軸の長径側が軸受けにより締め付けられ移動軸を固定することができるので、ナット等の部品の点数を減らすことができ、取り付け作業も容易になる。
【０００８】
本発明の請求項２記載の軸固定装置によると、軸受けに設けられた穴には、移動軸の回転を規制する突起が設けられていることにより、移動軸は、軸受け部に締め付けられた状態から回転することを防ぐことができる。
【０００９】
本発明の請求項３記載の画像読み取り装置によると、軸固定装置と、原稿を照射する光源と、原稿からの光を電気信号に変換する光センサと、移動軸が貫通する貫通穴を備えた原稿面に対して平行に往復運動可能なキャリッジとからなる。キャリッジを貫通して設けられた移動軸は、軸固定装置により画像読み取り装置に固定される。
【００１０】
【発明の実施の形態】
以下、本発明の実施の形態を示す実施例を図面に基づいて説明する。
【００１１】
本発明の一実施例のフラットベッド型の画像読み取り装置の概略構造を図１に示す。
【００１２】
箱型の筐体２の上面に、ガラス等の透明板からなる原稿台１が設けられている。筐体２の内部には、図示しない駆動装置により原稿台１に平行にキャリッジ移動軸１１に沿って移動するキャリッジ３が設けられ、このキャリッジ３に光源４とラインセンサ５とが搭載されている。光源４の照射光は原稿台１上の原稿８表面で反射され、集光レンズ７によりラインセンサ５に集光されるようになっている。ラインセンサ５には、例えばＣＣＤ等の電荷蓄積型光センサが使用される。キャリッジ移動軸１１は、筐体２に形成された軸受け２１、２２に支持され、一方の端部はねじが切られており、軸受け２２側でナット２３によって締め付け固定されている。
【００１３】
図２は、キャリッジ移動軸１１を示しており、一方の端部には端部１２が形成されている。他方の端部にはねじ１３が切られている。
【００１４】
図３および図４は、軸受け２１、２２の形状を示しており、キャリッジ移動軸１１に形成された端部を挿入し回転させて固定する側の軸受け２１には、穴２１１の一部に端部を挿入する切欠き部２４と、キャリッジ移動軸１１を回転し固定させた状態を保持する突起２５とが形成されている。
【００１５】
図５は、キャリッジ移動軸１１に形成された端部１２と軸受け２１とを固定した状態を示している。端部１２の短辺の長さＷは、切欠き部２４の大きさＳよりも短いため切欠き部２４から容易に軸受け２１の内部の穴２１１に挿入することができる。これに対して、端部１２の長辺の長さＬは、穴２１１の直径Ｄよりもわずかに大きくなっているため、軸の回転方向に力を加えると穴２１１の内部で端部１２は回転可能であるが、力を加えなければ軸受け２１の締め付ける力によって端部１２は回転することはない。
【００１６】
図６および図７は、キャリッジ移動軸１１を軸受け２１に固定する手順を示す。まず端部１２の形成されたキャリッジ移動軸１１を軸受け２１の穴２１１にある切欠き部２４から図６に示す矢印方向に挿入する。次に図７に示す矢印の方向にキャリッジ移動軸１１を回転させる。このとき、キャリッジ移動軸１１に形成された端部１２は、回転しながら軸受け２１に設けられた突起２５に回転を規制され、端部１２によりキャリッジ移動軸１１は軸受け２１に固定された状態で保持される。
【００１７】
キャリッジ本体３を貫通したキャリッジ移動軸１１を筐体２の軸受け２１、２２に固定する場合、まずキャリッジ移動軸１１のねじ部１３を軸受け２２の穴２２１に挿入する。次に、図６および図７に示した手順に従いキャリッジ軸１１の端部１２を軸受け２１に固定させる。そして、軸受け２２に挿入したキャリッジ移動軸１１のねじ部をナット２３で締め付けることによりキャリッジ本体３を貫通したキャリッジ移動軸１１を筐体２の軸受け２１、２２に固定することができる。
【００１８】
次に画像読み取り装置の構成及び動作について説明する。
【００１９】
光源４から照射された光は、原稿８で反射し集光レンズ７を通してラインセンサ５に集光される。ラインセンサ５では、各素子で集光された光の光量に応じた量の電荷が蓄積され、蓄積された電荷は図８に示すような信号処理装置３０で処理される。Ａ／Ｄ変換部３２は、増幅器３１を介して入力したラインセンサ５からのデータをデジタル信号に変換してシェーディング補正部３３に渡すものである。シェーディング補正部３３は、読み取り開始前に白基準を読み取ったデータを用いて、ラインセンサ５の素子毎の感度のばらつきや光源４の光量のばらつきを補正する。ガンマ補正部３６では、所定のガンマ関数によりガンマ補正が行われ、シェーディング補正部３３から出力された光量信号を画像信号に変換する。その他の補正部３７では、色補正、エッジ強調及び領域拡大／縮小等の諸変換を行う。
【００２０】
制御装置３４は、ＣＰＵ、ＲＡＭ及びＲＯＭ等からなるマイクロコンピュータにより構成され、画像読み取り装置全体の制御を行い、インタフェース３５を介して外部の画像処理装置、例えばパーソナルコンピュータに接続される。
【００２１】
上記のように構成された画像読み取り装置を用いて使用者は、この画像読み取り装置のインターフェイス３５に図示しないパーソナルコンピュータを接続し、原稿台１に原稿８を置いて、パーソナルコンピュータからの原稿読み取り範囲や読み取り解像度を指定して読み取りの実行を指令する。
【００２２】
読み取りの実行が指令されると、制御装置３４は光源４を点灯させ、キャリッジ３を各読み取りライン位置に順次移動させる。これにより、各読み取りライン位置において、原稿８の反射率に比例した量の電荷（信号電荷）がラインセンサ５に蓄積される。ラインセンサ５に蓄積された電荷は所定時間経過後に増幅器３１に出力され、ラインセンサ５は次の読み取りライン位置に移動される。
【００２３】
増幅器３１からの出力信号は、Ａ／Ｄ変換部３２によりデジタルの光量信号データに変換されて、シェーディング補正部３３、ガンマ補正部３６及びその他の補正部３７で各種の補正が行われ、インターフェイス３５を介してパーソナルコンピュータ等に出力される。
【００２４】
キャリッジ３を移動させて、各読み取りラインで上記処理を繰り返すことにより、指定した範囲の画像がパーソナルコンピュータ等に出力される。
【００２５】
本発明の実施例によれば、移動軸の筐体への取り付け時において、移動軸の少なくとも一方の端は煩雑なねじの締め付け操作をすることなく固定することができ、移動軸の取り付け作業が容易になる。
【００２６】
また本発明の実施例によれば、移動軸を締め付け固定するためのねじ等の細かい部品の点数を減らすことができ、長期間の使用でのナットのゆるみ等から生じる不具合を低減させ、耐久性が向上する。
【００２７】
さらに本発明の実施例によれば、移動軸の少なくとも一方は、筐体へねじ止めにより固定する必要がなくなるため、移動軸の軸受け付近の取り付け作業のための空間を最小限にとどめることができるため、設計の自由度が増大し、省スペース化にも役立つ。
【図面の簡単な説明】
【図１】本発明の実施例によるフラットベッド型の画像読み取り装置の一例の概略構造を示す模式図である。
【図２】本発明の実施例によるキャリッジ移動軸の概略斜視図である。
【図３】本発明の実施例によるキャリッジ移動軸の軸受けの概略斜視図である。
【図４】本発明の実施例によるキャリッジ移動軸の軸受けの概略斜視図である。
【図５】本発明の実施例による軸固定装置の概略正面図である。
【図６】本発明の実施例による軸固定装置の概略正面図である。
【図７】本発明の実施例による軸固定装置の概略正面図である。
【図８】本発明における画像読み取り装置の信号処理装置の機能構成を示すブロック図である。
【符号の説明】
１        原稿台
２        筐体
３        キャリッジ
４        光源
５        ラインセンサ
７        集光レンズ
８        原稿
１１        キャリッジ移動軸
１２        端部
１３        ねじ部
２１、２２    軸受け
２１１、２２１    穴
２３        ナット
２４        切欠き部
２５        突起
３０        信号処理装置
３１        増幅器
３２        Ａ／Ｄ変換部
３３        シェーディング補正部
３４        制御装置
３５        インターフェイス
３６        ガンマ補正部
３７        その他の補正部
【図１】
0003601295.tif 000002
【図２】
0003601295.tif 000003
【図３】
0003601295.tif 000004
【図４】
0003601295.tif 000005
【図５】
0003601295.tif 000006
【図６】
0003601295.tif 000007
【図７】
0003601295.tif 000008
【図８】
0003601295.tif 000009